(57)【要約】      （修正有）【課題】少ない光源によって光が円滑に流れるように見える照明効果を好適に奏でる照明装置を提供する。【解決手段】照明装置は、長尺の導光体１０と、導光体１０の第１の端面に光を照射する第１の光源２０Ａと、導光体１０の第２の端面に光を照射する第２の光源２０Ｂと、制御装置を備える。制御装置は、第１の光源２０Ａの輝度を０から第１の設定輝度まで増加させて維持した後、０まで減少させ、第２の光源２０Ｂの輝度を０から第２の設定輝度まで増加させて維持した後、０まで減少させる。【選択図】図６
2019055726.tif 000002
【特許請求の範囲】
【請求項１】
照明装置であって、
長尺の導光体と、
前記導光体の第１の端面に光を照射する第１の光源と、
前記導光体の第２の端面に光を照射する第２の光源と、
前記第１の光源と前記第２の光源の点灯制御を行う制御装置と、を備え、
前記点灯制御は、前記第１の光源の輝度を０から第１の設定輝度まで増加させる第１の増加制御と、前記第１の増加制御に引き続き、前記第１の光源の輝度を前記第１の設定輝度で維持する第１の維持制御と、前記第１の維持制御に引き続き、前記第１の光源の輝度を前記第１の設定輝度から０まで減少させる第１の減少制御と、を含み、
前記点灯制御は、前記第２の光源の輝度を０から第２の設定輝度まで増加させる第２の増加制御と、前記第２の増加制御に引き続き、前記第２の光源の輝度を前記第２の設定輝度で維持する第２の維持制御と、前記第２の維持制御に引き続き、前記第２の光源の輝度を前記第２の設定輝度から０まで減少させる第２の減少制御と、を含み、
前記制御装置が前記第１の増加制御により前記第１の光源の輝度を０から増加させ始める時点を第１の増加開始時点とし、前記第２の増加制御により前記第２の光源の輝度を０から増加させ始める時点を第２の増加開始時点とすると、前記第１の増加開始時点は前記第２の増加開始時点よりも先であり、
前記制御装置が前記第１の増加制御により前記第１の光源の輝度を前記第１の設定輝度まで増加させ終わる時点を第１の増加終了時点とし、前記第２の増加制御により前記第２の光源の輝度を前記第２の設定輝度まで増加させ終わる時点を第２の増加終了時点とすると、前記第１の増加終了時点は前記第２の増加終了時点と同時か、前記第２の増加終了時点よりも先であり、
前記制御装置が前記第１の減少制御により前記第１の光源の輝度を前記第１の設定輝度から減少させ始める時点を第１の減少開始時点とし、前記第２の減少制御により前記第２の光源の輝度を前記第２の設定輝度から減少させ始める時点を第２の減少開始時点とすると、前記第１の減少開始時点は前記第２の減少開始時点と同時であり、
前記第１の増加開始時点から前記第２の増加終了時点までの時間は０．２秒以下である、照明装置。
【請求項２】
前記制御装置が前記第１の減少制御により前記第１の光源の輝度を０まで減少させ終わる時点を第１の減少終了時点とし、前記第２の減少制御により前記第２の光源の輝度を０まで減少させ終わる時点を第２の減少終了時点とすると、前記第１の減少終了時点は前記第２の減少終了時点と同時か、前記第２の減少終了時点よりも先である、請求項１に記載の照明装置。
【請求項３】
前記第１の増加開始時点から前記第２の減少終了時点までの時間は０．２５秒から１秒の範囲内である、請求項２に記載の照明装置。
【請求項４】
前記第２の減少開始時点から前記第２の減少終了時点までの時間は０．５秒以下である、請求項２または請求項３に記載の照明装置。
【請求項５】
前記第２の増加終了時点から前記第２の減少開始時点までの時間は０．０５秒以上である、請求項１〜４のいずれか一項に記載の照明装置。
【請求項６】
前記制御装置は前記第１の増加制御により前記第１の光源の輝度を時間に対して指数関数的に増加させる、請求項１〜５のいずれか一項に記載の照明装置。
【請求項７】
前記制御装置は前記第２の増加制御により前記第２の光源の輝度を時間に対して指数関数的に増加させる、請求項１〜６のいずれか一項に記載の照明装置。
【請求項８】
長尺の導光体と、前記導光体の第１の端面に光を照射する第１の光源と、前記導光体の第２の端面に光を照射する第２の光源と、を備える照明装置の点灯制御方法であって、
前記第１の光源の輝度を０から第１の設定輝度まで増加させる第１の増加ステップと、
前記第１の増加ステップに引き続き、前記第１の光源の輝度を前記第１の設定輝度で維持する第１の維持ステップと、
前記第１の維持ステップに引き続き、前記第１の光源の輝度を前記第１の設定輝度から０まで減少させる第１の減少ステップと、
前記第２の光源の輝度を０から第２の設定輝度まで増加させる第２の増加ステップと、
前記第２の増加ステップに引き続き、前記第２の光源の輝度を前記第２の設定輝度で維持する第２の維持ステップと、
前記第２の維持ステップに引き続き、前記第２の光源の輝度を前記第２の設定輝度から０まで減少させる第２の減少ステップと、を含み、
前記第１の増加ステップが前記第１の光源の輝度を０から増加させ始める時点を第１の増加開始時点とし、前記第２の増加ステップが前記第２の光源の輝度を０から増加させ始める時点を第２の増加開始時点とすると、前記第１の増加開始時点は前記第２の増加開始時点よりも先であり、
前記第１の増加ステップが前記第１の光源の輝度を前記第１の設定輝度まで増加させ終わる時点を第１の増加終了時点とし、前記第２の増加ステップが前記第２の光源の輝度を前記第２の設定輝度まで増加させ終わる時点を第２の増加終了時点とすると、前記第１の増加終了時点は前記第２の増加終了時点と同時か、前記第２の増加終了時点よりも先であり、
前記第１の減少ステップが前記第１の光源の輝度を前記第１の設定輝度から減少させ始める時点を第１の減少開始時点とし、前記第２の減少ステップが前記第２の光源の輝度を前記第２の設定輝度から減少させ始める時点を第２の減少開始時点とすると、前記第１の減少開始時点は前記第２の減少開始時点と同時であり、
前記第１の増加開始時点から前記第２の増加終了時点までの時間は０．２秒以下である、点灯制御方法。
【発明の詳細な説明】
【技術分野】
【０００１】
本発明は、導光体を有する照明装置に関する。
【背景技術】
【０００２】
近年、車両用照明装置には、ターンランプや車室内イルミネーションとして、カバー内に多数の光源を配列し、各光源が一方向に向かって順次点灯するとともに当該各光源が前記一方向に向かって順次消灯するような制御を行うことによって、光が一方向に線状ないし帯状に流れるように見える照明効果を奏するものが提案されている（例えば、特許文献１、２参照）。
【０００３】
この場合、光源一つ一つについて点灯タイミングを決めるため、多数の光源に加えて電子回路及び制御プログラムを有する制御部が必要となる。また、光の移動距離を長くすると必要な光源数が増え、配線や電子システムが複雑になる。これらの理由により、上記照明効果を奏する照明装置はコスト高であった。
特許文献３には、長尺状の導光部材の両端に光源を配置して、一方の光源と他方の光源の点灯と消灯のタイミングをずらすことで、少数の光源によって導光部材の一端から他端に光が流れるように見せる提案がされている（特許文献３の図５参照）。
【先行技術文献】
【特許文献】
【０００４】
【特許文献１】特開２０１２−９６５６４号公報
【特許文献２】特開２０１２−１７０６３号公報
【特許文献３】特許第６０９１０９６号公報
【発明の概要】
【発明が解決しようとする課題】
【０００５】
特許文献３の図５に記載の技術は、一方の光源と他方の光源のそれぞれの全灯と消灯とを組み合わせることで、導光部材の一端から他端へ向かって光が流れるように見える照明効果を奏することを意図したものである。そのため、導光部材の発光態様が時間経過に対して段階的に変わる結果、導光部材のうち明るく見える部分がその一端から他端へ移動するとしても段階的な移動となり、光の円滑な動きとして表現できない可能性がある。
【０００６】
特許文献３には更に、位相制御調光方式、または、ＰＷＭ調光方式などの調光制御手段により一方および他方の光源それぞれの調光制御を行うことで光のグラデーションを強調し、円滑に流れる光を明瞭に見せる旨の記載もある（特許文献３の段落［００７４］〜［００７６］参照）。しかしながら、その場合の光源の点灯条件について具体的な記載はない。
【０００７】
そこで本発明は、少ない光源によって光が円滑に流れるように見える照明効果を好適に奏し得る照明装置を提供することをその目的とする。
【課題を解決するための手段】
【０００８】
本発明者らは上記課題を解決するために鋭意検討を重ねた結果、以下のように本発明の各局面に想到した。
すなわち、本発明の第１の局面による照明装置は、長尺の導光体と、導光体の第１の端面に光を照射する第１の光源と、導光体の第２の端面に光を照射する第２の光源と、第１の光源と第２の光源の点灯制御を行う制御装置と、を備え、点灯制御は、第１の光源の輝度を０から第１の設定輝度まで増加させる第１の増加制御と、第１の増加制御に引き続き、第１の光源の輝度を第１の設定輝度で維持する第１の維持制御と、第１の維持制御に引き続き、第１の光源の輝度を第１の設定輝度から０まで減少させる第１の減少制御と、を含み、点灯制御は、第２の光源の輝度を０から第２の設定輝度まで増加させる第２の増加制御と、第２の増加制御に引き続き、第２の光源の輝度を第２の設定輝度で維持する第２の維持制御と、第２の維持制御に引き続き、第２の光源の輝度を第２の設定輝度から０まで減少させる第２の減少制御と、を含み、制御装置が第１の増加制御により第１の光源の輝度を０から増加させ始める時点を第１の増加開始時点とし、第２の増加制御により第２の光源の輝度を０から増加させ始める時点を第２の増加開始時点とすると、第１の増加開始時点は第２の増加開始時点よりも先であり、制御装置が第１の増加制御により第１の光源の輝度を第１の設定輝度まで増加させ終わる時点を第１の増加終了時点とし、第２の増加制御により第２の光源の輝度を第２の設定輝度まで増加させ終わる時点を第２の増加終了時点とすると、第１の増加終了時点は第２の増加終了時点と同時か、第２の増加終了時点よりも先であり、制御装置が第１の減少制御により第１の光源の輝度を第１の設定輝度から減少させ始める時点を第１の減少開始時点とし、第２の減少制御により第２の光源の輝度を第２の設定輝度から減少させ始める時点を第２の減少開始時点とすると、第１の減少開始時点は第２の減少開始時点と同時であり、第１の増加開始時点から第２の増加終了時点までの時間は０．２秒以下である。
【発明の効果】
【０００９】
上記点灯制御によれば、導光体の第１の端面側から第２の端面側へ向かって光が円滑に流れるように見える照明効果を好適に奏することができる。特に、第１の増加開始時点から第２の増加終了時点までの時間を０．２秒以下とすることで、導光体の明るさの立ち上がりを好適な時間範囲内に行い、上記したような光が円滑に流れるように見える照明効果を好適に奏することができる。
【００１０】
また、本発明の第２の局面によれば、上記照明装置において、制御装置が第１の減少制御により第１の光源の輝度を０まで減少させ終わる時点を第１の減少終了時点とし、第２の減少制御により第２の光源の輝度を０まで減少させ終わる時点を第２の減少終了時点とすると、第１の減少終了時点は第２の減少終了時点と同時か、第２の減少終了時点よりも先である。
このような構成によれば、導光体の第１の端面側から第２の端面側へ向かって光が円滑に流れるように見える照明効果をより好適に奏することができる。
【００１１】
また、本発明の第３の局面によれば、上記照明装置において、第１の増加開始時点から第２の減少終了時点までの時間は０．２５秒から１秒の範囲内である。
また、本発明の第４の局面によれば、上記照明装置において、第２の減少開始時点から第２の減少終了時点までの時間は０．５秒以下である。
これらの構成によれば、導光体の第１の端面側から第２の端面側へ向かって光が円滑に流れるように見える照明効果をより好適に奏することができる。
【００１２】
また、本発明の第５の局面によれば、上記照明装置において、第２の増加終了時点から第２の減少開始時点までの時間は０．０５秒以上である。
このような構成によれば、第１の光源を第１の設定輝度に維持し、第２の光源を第２の設定輝度に維持する時間を一定時間以上確保できる。
【００１３】
また、本発明の第６の局面によれば、上記照明装置において、制御装置は第１の増加制御により第１の光源の輝度を時間に対して指数関数的に増加させる。
また、本発明の第７の局面によれば、上記照明装置において、制御装置は第２の増加制御により第２の光源の輝度を時間に対して指数関数的に増加させる。
これらの構成によれば、導光体の第１の端面側から第２の端面側へ向かって光が時間の経過に対して線形に流れる（すなわち、略一定の速度で流れる）ように見える照明効果を奏することができる。
【００１４】
また、本発明の第８の局面による照明装置の点灯制御方法は、長尺の導光体と、導光体の第１の端面に光を照射する第１の光源と、導光体の第２の端面に光を照射する第２の光源と、を備える照明装置の点灯制御方法であって、第１の光源の輝度を０から第１の設定輝度まで増加させる第１の増加ステップと、第１の増加ステップに引き続き、第１の光源の輝度を第１の設定輝度で維持する第１の維持ステップと、第１の維持ステップに引き続き、第１の光源の輝度を第１の設定輝度から０まで減少させる第１の減少ステップと、第２の光源の輝度を０から第２の設定輝度まで増加させる第２の増加ステップと、第２の増加ステップに引き続き、第２の光源の輝度を第２の設定輝度で維持する第２の維持ステップと、第２の維持ステップに引き続き、第２の光源の輝度を第２の設定輝度から０まで減少させる第２の減少ステップと、を含み、第１の増加ステップが第１の光源の輝度を０から増加させ始める時点を第１の増加開始時点とし、第２の増加ステップが第２の光源の輝度を０から増加させ始める時点を第２の増加開始時点とすると、第１の増加開始時点は第２の増加開始時点よりも先であり、第１の増加ステップが第１の光源の輝度を第１の設定輝度まで増加させ終わる時点を第１の増加終了時点とし、第２の増加ステップが第２の光源の輝度を第２の設定輝度まで増加させ終わる時点を第２の増加終了時点とすると、第１の増加終了時点は第２の増加終了時点と同時か、第２の増加終了時点よりも先であり、第１の減少ステップが第１の光源の輝度を第１の設定輝度から減少させ始める時点を第１の減少開始時点とし、第２の減少ステップが第２の光源の輝度を第２の設定輝度から減少させ始める時点を第２の減少開始時点とすると、第１の減少開始時点は第２の減少開始時点と同時であり、第１の増加開始時点から第２の増加終了時点までの時間は０．２秒以下である。
この方法によれば、本発明の第１の局面と同様の効果が得られる。
【図面の簡単な説明】
【００１５】
【図１】図１は、本発明の第１実施形態に係る照明装置の構成を説明するための概略の正面図である。
【図２】図２は、図１の照明装置の電気回路構成の概略のブロック図である。
【図３】図３は、図１の照明装置の点灯制御を説明するための図である。
【図４】図４は、図１の照明装置の発光態様の経時的変化の例を説明するための図である。
【図５】図５は、第１実施形態の変形例による点灯制御を説明するための図である。
【図６】図６は、本発明の第２実施形態に係るターンランプの構成を説明するための概略図である。
【発明を実施するための形態】
【００１６】
以下、本発明を具体化した複数の実施形態に係る照明装置１について、添付の図面を参照しながら説明する。
（第１実施形態）
図１は、本発明の第１実施形態に係る照明装置１の構成を説明するための概略の正面図である。図２は、照明装置１の電気回路構成の概略のブロック図である。図１および図２に示すように、照明装置１は長尺状の導光体１０と、導光体１０の長手方向の一端側に設けられる一方の光源２０Ａと、導光体１０の長手方向の他端側に設けられる他方の光源２０Ｂと、一方および他方の光源２０Ａ、２０Ｂの点灯制御を行う制御部３０とを備える。
【００１７】
（導光体）
導光体１０は、フッ素樹脂などの透明な可撓性樹脂材料、ポリメチルメタクリレート樹脂（ＰＭＭＡ樹脂）、ポリカーボネート樹脂（ＰＣ樹脂）、環状ポリオレフィン樹脂（ＣＯＰ樹脂）、アクリル樹脂などの透明な剛性樹脂材料、もしくは、透明なガラス材料といった、透明な可撓性材料または剛性材料からなる。
【００１８】
図１に例示する導光体１０は円形の横断面を有する柱状部材として形成されていてもよいが、導光体１０の横断面形状は円形に限らず、楕円形や多角形などの形状であってもよい。導光体１０は長尺の部材であれば柱状のものに限らず、横断面の面積や形状が長手方向に変化するものであってもよい。導光体１０は長手方向の途中で屈曲していてもよい。
【００１９】
導光体１０の長手方向の一方の端面１１Ａは、一方の光源２０Ａからの光が入射する入射面として機能する。また、導光体１０の長手方向の他方の端面１１Ｂは、他方の光源２０Ｂからの光が入射する入射面として機能する。導光体１０の一方の端面１１Ａまたは他方の端面１１Ｂから導光体１０の内部へ入射した光は、導光体１０の周面１２で反射を繰り返しながら導光体１０の内部を進行する。導光体１０の内部を進行する途中で、光の一部が臨界角を超えた場合に周面１２から少しずつ漏光する。このため、周面１２は、その全体から漏光する光出射面として機能する。
導光体１０は、何らかの加工等で漏光するようにされていてもよいし、光拡散材が含まれていてもよい。この場合には、導光体１０内部で光が多方向に拡散して周面１２に当たりやすくなり、漏光しやすくなる。光拡散材は、光を拡散させたり反射させたりする性質を有するものであればよく、光拡散材としては、例えば、酸化チタンなど従来の一般的なものを用いることができる。
【００２０】
（光源）
一方の光源２０ＡはＬＥＤ２１Ａを有し、他方の光源２０ＢはＬＥＤ２１Ｂを有するものとする。ＬＥＤ２１Ａ、２１Ｂに代えて、ＥＬ（Electro Luminescence）素子、白熱電球、ハロゲン電球、冷陰極管など、公知の光源を採用することができる。一方および他方の光源２０Ａ、２０Ｂから放出される光はどのような色であってもよい。図２に示すように、一方および他方の光源２０Ａ、２０Ｂは、制御回路を備える制御部３０に電気的に接続される。
【００２１】
（制御部）
制御部３０は、光源２０Ａ、２０Ｂの輝度を一定に維持する制御に加えて、供給電力を調整する位相制御調光方式、または、ＰＷＭ（Pulse Width Modulation：パルス幅変調）信号に基づいて点灯および消灯を繰り返させるＰＷＭ調光方式など公知の調光制御手段により、一方および他方の光源２０Ａ、２０Ｂぞれぞれの輝度を経時的に連続的に変化させる態様での点灯制御を行うことができる。
【００２２】
（点灯制御）
次に、本実施形態に係る制御部３０が行う照明装置１の点灯制御の例を図１、２に加えて図３、４にも基づき説明する。図３の（Ａ）は照明装置１の一方の光源２０Ａの輝度ＩＡの制御態様を、時間ｔを横軸にとって示す説明図である。図３の（Ｂ）は照明装置１の他方の光源２０Ｂの輝度ＩＢの制御態様を、時間ｔを横軸にとって示す説明図である。図４は図３の点灯制御による照明装置１の経時的な発光態様の変化の一例を模式的に示す説明図である。図３の時点ａ〜ｇにおける照明装置１の発光態様を、図４の（ａ）〜（ｇ）にそれぞれ模式的に示す。
【００２３】
制御部３０が一方の光源２０Ａについて行う点灯制御は、図３の（Ａ）に示す様に、一方の光源２０Ａの輝度ＩＡを０から第１の設定輝度Ｉ１まで徐々に増加させる第１の増加制御と、第１の増加制御に引き続き、一方の光源２０Ａの輝度ＩＡを第１の設定輝度Ｉ１で維持する第１の維持制御と、第１の維持制御に引き続き、一方の光源２０Ａの輝度ＩＡを第１の設定輝度Ｉ１から０まで徐々に減少させる第１の減少制御と、を含む。これにより、一方の光源２０Ａからの導光体１０の一方の端面１１Ａに対する投光量は、第１の増加制御により徐々に増加し、第１の維持制御により一定となり、第１の減少制御により徐々に減少する。
【００２４】
また、制御部３０が他方の光源２０Ｂについて行う点灯制御は、図３の（Ｂ）に示す様に、他方の光源２０Ｂの輝度ＩＢを０から第２の設定輝度Ｉ２まで徐々に増加させる第２の増加制御と、第２の増加制御に引き続き、他方の光源２０Ｂの輝度ＩＢを第２の設定輝度Ｉ２で維持する第２の維持制御と、第２の維持制御に引き続き、他方の光源２０Ｂの輝度ＩＢを第２の設定輝度Ｉ２から０まで徐々に減少させる第２の減少制御と、を含む。これにより、他方の光源２０Ｂからの導光体１０の他方の端面１１Ｂに対する投光量は、第２の増加制御により徐々に増加し、第２の維持制御により一定となり、第２の減少制御により徐々に減少する。
【００２５】
また、図３に示すように、制御部３０が第１の増加制御により一方の光源２０Ａの輝度ＩＡを０から増加させ始める時点を第１の増加開始時点ｔ１ａとし、第２の増加制御により他方の光源２０Ｂの輝度ＩＢを０から増加させ始める時点を第２の増加開始時点ｔ１ｂとすると、第１の増加開始時点ｔ１ａは第２の増加開始時点ｔ１ｂよりも先である。
また、制御部３０が第１の増加制御により一方の光源２０Ａの輝度ＩＡを第１の設定輝度Ｉ１まで増加させ終わる時点を第１の増加終了時点ｔ２ａとし、第２の増加制御により他方の光源２０Ｂの輝度ＩＢを第２の設定輝度Ｉ２まで増加させ終わる時点を第２の増加終了時点ｔ２ｂとすると、第１の増加終了時点ｔ２ａは第２の増加終了時点ｔ２ｂと同時か、第２の増加終了時点ｔ２ｂよりも先である。
【００２６】
また、制御部３０が第１の減少制御により一方の光源２０Ａの輝度ＩＡを第１の設定輝度Ｉ１から減少させ始める時点を第１の減少開始時点ｔ３ａとし、第２の減少制御により他方の光源２０Ｂの輝度ＩＢを第２の設定輝度Ｉ２から減少させ始める時点を第２の減少開始時点ｔ３ｂとすると、第１の減少開始時点ｔ３ａは第２の減少開始時点ｔ３ｂと同時である。
更に、第１の増加開始時点ｔ１ａから第２の増加終了時点ｔ２ｂまでの時間は０．２秒以下である。
【００２７】
以上説明した照明装置１の点灯制御によれば、図３の時点ｔ１ａ（すなわち、時点ａ）および図４の（ａ）に示すように、初期状態においては、一方および他方の光源２０Ａ、２０Ｂは消灯されており、導光体１０が全消灯されている。
その後、第１の増加制御により一方の光源２０Ａの輝度ＩＡが増加を開始する。例えば、第２の増加開始時点ｔ１ｂ（時点ｂ）では、一方の光源２０Ａのみが比較的低い輝度で点灯され、他方の光源２０Ｂは輝度が０である。そのため、図４の（ｂ）に示す様に、導光体１０は一端側においてやや明るく、他端側に向かって徐々に暗くなり、長手方向の途中から他端部側まででは相当暗いものとして視認される。
【００２８】
その後の第２の増加開始時点ｔ１ｂ以降の時点ｃでは、一方の光源２０Ａの輝度ＩＡが時点ｂよりも高くなっており、他方の光源２０Ｂの輝度ＩＢも相当程度増加していることから、図４の（ｃ）に示すように、導光体１０が全体的に時点ｂよりも明るいものとして視認される。第１の増加制御における一方の光源２０Ａの輝度ＩＡの増加速度、および、第２の増加制御における他方の光源２０Ｂの輝度ＩＢの増加速度は、第２の増加終了時点ｔ２ｂ直前までは、常に導光体１０の一端側の方が他端側よりも明るく視認されるようにそれぞれ設定されている。よって、時点ｃでは、図４の（ｃ）に示す様に、導光体１０の一端側が最も明るく、他端側に向けて徐々に暗くなるように見える。このとき、図４の（ｂ）に示す時点ｂにおける導光体１０の発光態様と比較すると、導光体１０のうち明るく見える部分が、一端側から他端側へ向けてより伸長していることが分かる。
【００２９】
本実施形態においては、その後の第１の増加終了時点ｔ２ａと第２の増加終了時点ｔ２ｂとは同時とされている。第２の増加終了時点ｔ２ｂ以降、一方の光源２０Ａと他方の光源２０Ｂがそれぞれ第１および第２の設定輝度Ｉ１、Ｉ２にて維持されるため、図４の（ｄ）に示すように、導光体１０は全体が明るく見える。第１および第２の設定輝度Ｉ１、Ｉ２は導光体１０の一端側と他端側とが同程度の明るさに見える設定としてもよいが、これに限らない。なお、第１の増加終了時点ｔ２ａは第２の増加終了時点ｔ２ｂより先としてもよい。
【００３０】
その後の第１の減少開始時点ｔ３ａおよび第２の減少開始時点ｔ３ｂ以降、第１の減少制御および第２の減少制御により、一方の光源２０Ａおよび他方の光源２０Ｂの輝度ＩＡ、ＩＢが徐々に減少する。なお、このときの一方の光源２０Ａの輝度ＩＡの減少速度および他方の光源２０Ｂの輝度ＩＢの減少速度は、第２の減少終了時点ｔ４ｂに至るまで、常に導光体１０の一端側の方が他端側よりも暗く視認されるように、それぞれ設定されている。よって、第２の減少開始時点ｔ３ｂ以降の時点ｅでは導光体１０の他端側が最も明るく、一端側に行くに従って徐々に暗くなるものとして視認される。さらに第１の減少終了時点ｔ４ａ（時点ｆ）では第１の光源２０Ａの輝度ＩＡは０となるため導光体１０の一端側は時点ｅと比べて更に暗くなり、第２の光源２０Ｂの輝度ＩＢはまだ０となっていないため、導光体１０の途中から他端側近傍に向けてやや明るくなるように視認される。
【００３１】
第２の減少終了時点ｔ４ｂ（時点ｇ）においては、一方および他方の光源２０Ａ、２０Ｂが消灯され、導光体１０は全消灯とされる。
本実施形態においては、第１の減少終了時点ｔ４ａは第２の減少終了時点ｔ４ｂよりも先としているが、同時としてもよい。第１の減少制御および第２の減少制御における一方の光源２０Ａの輝度ＩＡの減少速度および他方の光源２０Ｂの輝度ＩＢの減少速度は、導光体１０の一端側および他端側が常に同程度の明るさに見えるように設定してもよい。第１の減少制御および第２の減少制御は、一方および他方の光源２０Ａ、２０Ｂの輝度ＩＡ、ＩＢを、同時かつ瞬時に０とするものであってもよい。
【００３２】
以上のような一方および他方の光源２０Ａ、２０Ｂの点灯制御により、図４に示す様に、導光体１０のうち比較的明るく見える部分が導光体１０の一端側から他端側へと時間経過とともに移動し、光が導光体１０の一端側から他端側へと円滑に流れるような照明効果を奏することができる。特に、上述のとおり、第１の増加開始時点ｔ１ａから第２の増加終了時点ｔ２ｂまでの時間を０．２秒以下としているため、光がより円滑に流れるように見える演出を行うことができる。
上述の制御を繰り返し行ってもよく、その場合、第２の減少制御の終了時点である第２の減少終了時点ｔ４ｂに、次の回の点灯制御の第１の増加制御を開始することで、点灯制御を順次連続して行ってもよい。また、第２の減少終了時点ｔ４ｂと次の回の点灯制御の第１の増加制御の開始の間に、０．２〜０．６秒の消灯時間を挿入してもよい。
【００３３】
本実施形態においては、図３に示す様に、第１の増加開始時点ｔ１ａから第２の増加開始時点ｔ１ｂまでの時間Ｔ１に対して、第２の増加開始時点ｔ１ｂから第２の増加終了時点ｔ２ｂまでの時間Ｔ２を約２倍に設定しているが、それに限らず、時間Ｔ１と時間Ｔ２の合計が０．２秒以下であれば、どのように設定してもよい。
【００３４】
（変形例）
一方または他方の光源２０Ａ、２０Ｂから発せられた光は、導光体１０の内部を進むに従い、導光体１０内部における進行距離に対して指数関数的に減衰すると考えられる。そのため、以上説明した第１実施形態の照明装置１の点灯制御の第１の増加制御において、図５の（Ａ）に示す様に、一方の光源２０Ａの輝度ＩＡを時間ｔに対して指数関数的に増加させるものとしてもよい。同様に、第２の増加制御において、図５の（Ｂ）に示すように、他方の光源２０Ｂの輝度ＩＢを時間ｔに対して指数関数的に増加させるものとしてもよい。これにより、光が導光体１０の長手方向の一端側から他端側に向かって時間ｔの経過に対して線形に流れる（すなわち、略一定の速度で流れる）ように見える演出を行うことができる。また、減少制御でも同様のことが言える。
【００３５】
（第２実施形態）
次に、本発明の照明装置１を自動車等の車両のターンランプに適用した例を、図６を参照して説明する。ターンランプは、自動車等の車両の前方の左右位置および後方の左右位置その他の位置に取り付けられて車両の進行方向変更を点灯により表示するものである。本実施形態において、制御部３０は車両の各種電装品の動作を制御するためのＥＣＵ（Electronic Control Unit）であってもよく、乗員の操作などに基づいて照明装置１の点灯制御を行うように構成されていてもよい。
【００３６】
図６は、本実施形態に係るターンランプとしての照明装置１を含む自動車用灯体ユニットの一例として、自動車の車体の後方右側に装着されるリアコンビネーションランプ５０を例示する図であり、リアコンビネーションランプ５０を自動車の後方側から見た概略図である。リアコンビネーションランプ５０は、ターンランプとしての照明装置１と、複数の灯体５１Ａ〜５１Ｃ（例えば、テールランプ、ブレーキランプ、それらを兼ねるランプ、バックランプのいずれか）と、車体内側に対面するケーシング５２と、ケーシング５２の外周縁に嵌合されてリアコンビネーションランプ５０の表側となる樹脂製カバー（図示略）と、を備える。ケーシング５２は、ポリプロピレン（ＰＰ）、アクリロニトリル−ブタジエン−スチレン共重合樹脂（ＡＢＳ）などの樹脂材料からなる。照明装置１の導光体１０と、灯体５１Ａ〜５１Ｃの点灯状態は樹脂製カバーを通して外部から視認可能である。
【００３７】
車体を後方から見た場合、照明装置１の導光体１０の一端（図６の一方の端面１１Ａ側の端部）は水平方向における車体の中心側に配置され、導光体１０の他端（図６の他方の端面１１Ｂ側の端部）は水平方向における車体の外縁側に配置されることとなる。すなわち、車体を後方から見た場合、導光体１０の一端よりも他端の方が右側に位置することとなる。そのため、図３、４または図５に基づき説明した照明装置１の点灯制御を行うと、車体の後方から見た場合、導光体１０の左側の端部から右側の端部へ向かって光が流れるように見えることとなる。このような照明態様により、右側のターンランプ（照明装置１）を点灯させたときには、自動車の進路変更方向である右側へ向かって光が導光体１０の長手方向に沿って流れるような演出を行うことができ、外部の観察者に対して自動車の進路変更方向をより明確に知らせることができる。
導光体１０とケーシング５２の間にリフレクタを配置して導光体１０の点灯状態の視認性を高めてもよい。導光体１０は、車体の側面まで回り込んでいてもよい。
【００３８】
本発明の照明装置１を本実施形態のように自動車のターンランプとして用いる場合、導光体１０の長さは約２００ｍｍ〜５００ｍｍの範囲内とすることが例示できる。また、一方および他方の光源２０Ａ、２０Ｂや導光体１０の発光色をアンバー色とすることが例示できる。
また、上記の点灯制御において、第１の増加開始時点ｔ１ａから第２の減少終了時点ｔ４ｂまでの時間は０．２５秒から１秒の範囲内であるものとすることが好ましい。また、第２の減少開始時点ｔ３ｂから第２の減少終了時点ｔ４ｂまでの時間を０．５秒以下とすることが好ましい。導光体１０の一端側から他端側へ向かって光が円滑に流れるように見える照明効果をより好適に奏することができるためである。
また、第２の増加終了時点ｔ２ｂから第２の減少開始時点ｔ３ｂまでの時間を０．０５秒以上とすることが好ましい。一方および他方の光源２０Ａ、２０Ｂをそれぞれ第１および第２の設定輝度Ｉ１、Ｉ２に維持する時間を十分に確保するためである。
【００３９】
図６のリアコンビネーションランプ５０と左右対称形の左側用のリアコンビネーションランプを車体後方左側に配置してもよく、図３、４または図５に基づき説明した照明装置１の点灯制御を左側用のリアコンビネーションランプについて行うと、車体の後方から見た場合、導光体１０の右側の端部から左側の端部へ向かって光が流れるように見える照明効果が得られることとなる。本発明に係る照明装置１を、車体前方左右両側のターンランプとして用いて、同様の点灯制御をおこなってもよい。
ターンランプとしての照明装置１をハザードランプとして点灯させる際に、図３、４または図５に示す照明装置１の点灯制御を行ってもよい。
【００４０】
（変形例）
本発明の照明装置１は、ターンランプ用途以外にも、車両のルーフトリムに設けられて車室内の全体を照明するためのルームランプ、ドア開口部の足元側に設けられてドアの開閉時に上方に光を放つスカッフランプ、インストルメントパネルの下部に設けられて前席乗員の足元を照らすための足元ランプ、ドアトリムのドアポケット内に設けられて当該ドアポケット内から上方に光を放つドアポケットランプなど、車室内に設けられるランプとして用いることもできる。さらには、車両用途に限らず、交通標識、広告表示灯、警告表示灯、建物や庭園用のイルミネーション、アドバルーン灯など、必要に応じて様々な用途に用いることができる。
【００４１】
なお、以上説明した本発明の複数の実施形態およびそれらの変形例は、本発明の代表的な形態を示したものに過ぎず、本発明はそれらに限定されるものではない。したがって、本発明は、本発明の骨子を逸脱しない範囲、すなわち、本明細書に記載した事項から当業者が容易に想到できるものや、本明細書に記載した発明と実質的に同一のもの、いわゆる均等の範囲において種々変形して実施することができ、それらも本発明に含まれる。
【符号の説明】
【００４２】
１…照明装置
１０…導光体
２０Ａ…一方の光源（第１の光源）
２０Ｂ…他方の光源（第２の光源）
２１Ａ、２１Ｂ…ＬＥＤ
３０…制御部（制御装置）
５０…リアコンビネーションランプ
５１Ａ〜Ｃ…灯体
５２…ケーシング
【図１】
2019055726.tif 000003
【図２】
2019055726.tif 000004
【図３】
2019055726.tif 000005
【図４】
2019055726.tif 000006
【図５】
2019055726.tif 000007
【図６】
2019055726.tif 000008